(57)【特許請求の範囲】
【請求項１】
裏面に発光部材が設けられた光透過性部材の表面を凹凸形状に形成し、この光透過性部材の凹凸形状の全表面に光反射被膜を形成した後、前記凹凸形状の凸部の先端部のみを前記光反射被膜と共にカットして、前記凸部の先端を平坦面に形成して露出させるとともに、前記凹凸形状の凹部に前記光反射被膜を光反射被膜部として残すことを特徴とする化粧部材の製造方法。
【請求項２】
前記凹凸形状は、凹凸形状の溝であり、この溝は、縦横格子状に形成されていることを特徴とする請求項１記載の化粧部材の製造方法。
【請求項３】
前記凹凸形状は、V字状の溝であり、この溝は、縦横格子状に形成されていることを特徴とする請求項１記載の化粧部材の製造方法。
【請求項４】
光透過性部材の表面を凹凸形状に形成し、この光透過性部材の凹凸形状の全表面に光反射被膜を形成した後、前記凹凸形状の凸部の先端部のみを前記光反射被膜と共にカットして、前記凸部の先端を平坦面に形成して露出させるとともに、前記凹凸形状の凹部に前記光反射被膜を光反射被膜部として残すことを特徴とする化粧部材の製造方法。
【請求項５】
前記凹凸形状は、凹凸形状の溝であり、この溝は、縦横格子状に形成されていることを特徴とする請求項４記載の化粧部材の製造方法。
【請求項６】
前記凹凸形状は、V字状の溝であり、この溝は、縦横格子状に形成されていることを特徴とする請求項４記載の化粧部材の製造方法。
【発明の詳細な説明】
【０００１】
【発明の属する技術分野】
この発明は、化粧部材の製造方法に関する。
【０００２】
【従来の技術】
従来、光透過性部材の表面に金属薄膜を形成し、レーザー照射機を用いて金属薄膜面にレーザー光線を照射して微細な凹凸状のマーキングを行ったり、時計用文字盤の表面に金属薄膜を重ねてポンチ工具を用いてドット状の凹窪を形成したりするものがあった。
【０００３】
【発明が解決しようとする課題】
しかしながら、光透過性部材の表面に金属薄膜を形成し、レーザー照射機を用いて金属薄膜面にレーザー光線を照射して微細な凹凸状のマーキングを行う場合は、大掛かりな製造装置が必要となり製造コストも掛かるという欠点があった。また、時計用文字盤の表面に金属薄膜を重ねてポンチ工具を用いてドット状の凹窪を形成するものは、手作業により均等な製品が得られずコストも掛かるという欠点があった。
この発明の課題は、簡単に凹凸を形成して装飾性のあるものを得ることができるようにすることである。
【０００４】
【課題を解決するための手段】
請求項１記載の発明は、裏面に発光部材が設けられた光透過性部材の表面を凹凸形状に形成し、この光透過性部材の凹凸形状の全表面に光反射被膜を形成した後、凹凸形状の凸部の先端部のみを光反射被膜と共にカットして凸部の先端部を平坦面に形成して露出させるとともに、凹凸形状の凹部に光反射被膜を光反射被膜部として残すことを特徴とする。
この請求項１記載の発明によれば、光透過性部材の裏面に発光部材を設けることができる。そして、光透過性部材の凹凸形状の全表面に光反射被膜を形成した後、凹凸形状の凸部の先端部のみを光反射被膜と共にカットすることにより、凸部の先端部を平坦面に形成して露出させることができるとともに、凹部に光反射被膜を光反射被膜部として残すことができるので、照明機能を有するとともに装飾性のある化粧部材を簡単に製造することができる。
また、請求項２記載の発明は、前記凹凸形状は、凹凸形状の溝であり、この溝は、縦横格子状に形成されていることを特徴とする。この請求項２記載の発明によれば、光透過性部材の上面に規則的な凹凸形状を形成することができる。
更に、請求項３記載の発明は、前記凹凸形状は、V字状の溝であり、この溝は、縦横格子状に形成されていることを特徴とする。この請求項３記載の発明によれば、光透過性部材の上面に規則的なV字形状の溝を形成することができる。
【０００５】
請求項４記載の発明は、光透過性部材の表面を凹凸形状に形成し、この光透過性部材の凹凸形状の全表面に光反射被膜を形成した後、凹凸形状の凸部の先端部のみを光反射被膜と共にカットして凸部の先端部を平坦面に形成して露出させるとともに、凹凸形状の凹部に光反射被膜を光反射被膜部として残すことを特徴とする。
この請求項４記載の発明によれば、光透過性部材の凹凸形状の全表面に光反射被膜を形成した後、凹凸形状の凸部の先端部のみを光反射被膜と共にカットすることにより、凸部の先端部を平坦面に形成して露出させることができるとともに、凹部に光反射被膜を光反射被膜部として残すことができるので、装飾性のある化粧部材を簡単に製造することができる。
また、請求項５記載の発明は、前記凹凸形状は、凹凸形状の溝であり、この溝は、縦横格子状に形成されていることを特徴とする。この請求項５記載の発明によれば、光透過性部材の上面に規則的な凹凸形状を形成することができる。
更に、請求項６記載の発明は、前記凹凸形状は、V字状の溝であり、この溝は、縦横格子状に形成されていることを特徴とする。この請求項６記載の発明によれば、光透過性部材の上面に規則的なV字形状の溝を形成することができる。
【０００６】
【発明の実施の形態】
［第１実施形態］
以下、図１〜図５を参照して、この発明の化粧部材を電子腕時計に適用した第１実施形態について説明する。
図１は電子腕時計の要部拡大断面図である。この図において、１は腕時計ケースである。この腕時計ケース１の上面には時計ガラス２が装着され、腕時計ケース１の内部には時計モジュール３が収納され、腕時計ケース１の下面には裏蓋４が防水リング４ａを介して取り付けられている。
時計モジュール３は、ハウジング５を備え、このハウジング５の上面に文字板としての化粧板（化粧部材）６が押え板７によって取り付けられ、ハウジング５内にアナログムーブメント８が設けられ、このアナログムーブメント８の指針軸９が化粧板６に形成された貫通孔６ａを通してその上方に突出し、この突出した指針軸９の上部に時針および分針などの指針１０が取り付けられた構造になっている。この場合、化粧板６の上面の周縁部には、１時〜１２時などを表す文字や図形などの時字（マーク部）１６が設けられている。
【０００７】
化粧板６は、図２に示すように、上面が凹凸形状に形成された光透過性部材１１と、この光透過性部材１１の凹凸形状の凹部１２に形成された光反射被膜部である金属被膜部１３と、光透過性部材１１の下面に設けられたＥＬパネル（発光部材）１５とからなっている。光透過性部材１１は、透明または半透明のガラスや合成樹脂からなる板状のもので、その上面に図２および図３に示すように断面「Ｖ」字状の溝が縦横格子状に形成され、これにより上面が凹部１２と凸部１４とからなる凹凸形状に形成され、この凹凸形状の凸部１４の先端部が平坦面１４ａに形成された構造になっている。光反射被膜部である金属被膜部１３は、アルミニウムやクロムなどの金属からなり、光透過性部材１１の断面「Ｖ」字状の凹部１２の内面のみにほぼ均一な膜厚で形成され、これにより凸部１４の平坦面１４ａを露出させる構造になっている。ＥＬパネル１５は、電界の印加によって発光する有機物または無機物のＥＬ層を電極板間に設けた電界発光素子である。
【０００８】
次に、このような化粧板６の製造方法について、図４（ａ）および図４（ｂ）を参照して説明する。
まず、図４（ａ）に示すように、光透過性部材１１の上面に断面「Ｖ」字状の溝を縦横に格子状に形成することにより、光透過性部材１１の上面に断面「Ｖ」字状の凹部１２、およびこの凹部１２によって囲われた四角錐状の凸部１４を形成する。そして、これら凹部１２および凸部１４が形成された光透過性部材１１の上面、つまり凹部１２および凸部１４の全表面にアルミニウムやクロムなどの金属を蒸着して金属被膜１７をほぼ均一な膜厚で形成する。
この後、図４（ｂ）に示すように、凸部１４の先端部のみを金属被膜１７と共に研磨作業などによりカットして、凸部１４の先端部を平坦面１４ａに形成する。これにより、凸部１４の平坦面１４ａが上方に露出し、凹部１２の内面のみに金属被膜１７が金属被膜部１３として残る。なお、この後は、光透過性部材１１の下面にＥＬパネル１５を取り付ければ良い。
【０００９】
このような指針式時計の化粧板６では、ＥＬパネル１５を点灯させると、図５（ａ）に示すように、ＥＬパネル１５の光が光透過性部材１１の凸部１４の平坦面１４ａから上方に出射する。このとき、凹部１２が断面「Ｖ」字状に形成されているため、ＥＬパネル１５の光が金属被膜部１３によって遮られることが少なく、しかも金属被膜部１３に遮られても、この金属被膜部１３で反射され、この反射光がＥＬパネル１５の上面で再び反射され、この反射を繰り返して凸部１４の平坦面１４ａから出射される。このため、光透過部材１１の上面に金属被膜部１３を形成しても、出射光量の低下が少なく、ＥＬパネル１５の光を効率良く出射させることができる。これにより、指針１０を良好に照明することができ、暗い所でも確実に時刻を目視することができる。また、明るい所でＥＬパネル１５を消灯させた場合には、図５（ｂ）に示すように、光透過性部材１１の上面に形成された金属被膜部１３によって外部光が反射されるため、光透過性部材１１の上面が金属的に見え、このため金属感のある文字板を得ることができ、高級感の高い電子腕時計を得ることができる。
【００１０】
この場合、光透過性部材１１は、凹凸形状の凸部１４の先端部が平坦面１４ａに形成されているので、化粧板６の上面が全体的にほぼフラットな平面となり、このため光透過性部材１１の上面に文字や図形などの時字１６を印刷や貼付などによって良好に設けることができる。
また、この化粧板６は、光透過性部材１１の凹凸形状の上面全体に金属被膜１７を形成した後、凹凸形状の凸部１４の先端部を金属被膜１７と共にカットすることにより、凸部１４の先端部を平坦面１４ａに形成して露出させることができるとともに、凹部１２に金属被膜１７を金属被膜部１３として残すことができるので、研磨などの簡単な作業で容易に製造することができる。
【００１１】
なお、上記第１実施形態では、光透過性部材１１の前面全体を凹凸形状に形成したが、これに限らず、例えば図６（ａ）〜図６（ｃ）に示すように、凹凸形状に形成される光透過性部材１１の表面に時字形成領域１８を設け、この時字形成領域１８を平坦面に形成し、この時字形成領域１８に時字１６を印刷により形成しても良い。この場合には、図６（ａ）に示すように、光透過性部材１１の表面を凹凸形状に形成するとともに、この表面に予め平坦な時字形成領域１８を形成し、この光透過性部材１１の全表面に金属被膜１７を形成する。この後、図６（ｂ）に示すように、凹凸形状の凸部１４の先端部および時字形成領域１８の表面を金属被膜１７と共にカットし、凸部１４の先端部および時字形成領域１８の表面を平坦面に形成して露出させるとともに、凹部１２に金属被膜１７を金属被膜部１３として残す。そして、図６（ｃ）に示すように、平坦面に形成された時字形成領域１８の表面に時字１６を印刷により形成すれば良い。このようにすれば、時字１６を時字形成領域１８に良好に印刷することができる。
【００１２】
［第２実施形態］
次に、図７〜図１０を参照して、この発明の化粧部材の第２実施形態について説明する。なお、図１〜図５に示された第１実施形態と同一部分には同一符号を付し、その説明は省略する。
この化粧板（化粧部材）２０は、図７に示すように、上面が凹凸形状に形成された光透過性部材２１と、この光透過性部材２１の凹凸形状の凹部２２に形成された光反射被膜部である金属被膜部２３と、光透過性部材２１の下面に設けられたＥＬパネル１５とからなっている。光透過性部材２１は、第１実施形態と同様、透明または半透明のガラスや合成樹脂からなる板状のもので、その上面に図７および図８に示すように断面が矩形状をなす溝が縦横格子状に形成され、これにより上面が凹部２２と凸部２４とからなる凹凸形状に形成され、この凹凸形状の凸部２４の先端部が平坦面２４ａに形成された構造になっている。金属被膜部２３は、第１実施形態と同様、アルミニウムやクロムなどの金属からなり、光透過性部材２１の凹部２２の内面のみにほぼ均一な膜厚で形成され、これにより凸部２４の平坦面２４ａが露出した構造になっている。
【００１３】
このような化粧板２０の製造方法について、図９（ａ）および図９（ｂ）を参照して説明する。
まず、図９（ａ）に示すように、光透過性部材２１の上面に断面矩形状の溝を縦横に格子状に形成することにより、光透過性部材２１の上面に断面矩形状の凹部２２、およびこの凹部２２によって囲われた四角柱状の凸部２４を形成する。そして、これら凹部２２および凸部２４が形成された光透過性部材２１の上面、つまり凹部２２および凸部２４の全表面にアルミニウムやクロムなどの金属を蒸着して金属被膜１７をほぼ均一な膜厚で形成する。
この後、図９（ｂ）に示すように、凸部２４の先端部のみを金属被膜１７と共に研磨作業などによりカットして、凸部２４の先端部を平坦面２４ａに形成する。これにより、凸部２４の平坦面２４ａが上方に露出し、凹部２２の内面のみに金属被膜１７が金属被膜部２３として残る。なお、この後は、光透過性部材２１の下面にＥＬパネル１５を取り付ければ良い。
【００１４】
このような化粧板２０では、第１実施形態と同様、ＥＬパネル１５を点灯させると、図１０（ａ）に示すように、ＥＬパネル１５の光が光透過性部材２１の凸部２４の平坦面２４ａから上方に出射する。このとき、ＥＬパネル１５の光が金属被膜部２３に遮られても、この金属被膜部２３で反射され、反射された一部の光はそのまま凸部２４の平坦面２４ａから出射され、また他の一部の反射光はＥＬパネル１５の上面で再び反射され、この反射を繰り返して凸部２４の平坦面２４ａから出射される。このため、光透過部材２１の上面に金属被膜部２３を形成しても、第１実施形態と同様、出射光量の低下が少なく、ＥＬパネル１５の光を効率良く出射させることができ、これにより指針１０を良好に照明することができ、暗い所でも確実に時刻を目視することができる。また、明るい所でＥＬパネル１５を消灯させた場合には、図１０（ｂ）に示すように、光透過性部材２１の上面に形成された金属被膜部２３によって外部光が反射されるため、光透過性部材２１の上面が金属的に見え、金属感のある化粧板６を得ることができる。
【００１５】
このような化粧板２０を電子腕時計の文字板として用いれば、第１実施形態と同様、金属感のある文字板を得ることができ、高級感の高い電子腕時計を得ることができる。
また、この化粧板２０は、光透過性部材２１の凹凸形状の上面全体に金属被膜１７を形成した後、凹凸形状の凸部２４の先端部を金属被膜１７と共にカットすることにより、凸部２４の先端部を平坦面２４ａに形成して露出させることができるとともに、凹部２２に金属被膜１７を金属被膜部２３として残すことができるので、第１実施形態と同様、研磨などの簡単な作業で容易に製造することができる。
【００１６】
なお、上記第１、第２実施形態では、光透過性部材１１、２１の上面に溝を縦横格子状に形成して、上面を規則的な凹凸形状に形成したが、これに限らず、光透過性部材の上面に凹部と凸部とを不規則に形成することにより、光透過性部材の上面を不規則な凹凸形状に形成しても良い。
また、上記第１、第２実施形態では、凹凸形状に形成された光透過性部材１１、２１の凹部１２、２２の内面に金属被膜部１３、２３を形成したが、これに限らず、凸部の表面に金属被膜部１３、２３を形成し、凹部１２、２２の底部を露出させても良い。
また、上記第１、第２実施形態では、光透過性部材１１、２１の表面に金属被膜部１３、２３を設けたが、必ずしも金属被膜部１３、２３である必要はなく、光を反射する被膜部であれば、どのような素材であっても良い。
【００１７】
また、上記第１、第２実施形態では、発光部材として、ＥＬパネル１５を用いた場合について述べたが、これに限らず、例えばプラズマ方式の平面発光パネル、蓄光材を用いた平面発光パネル、発光ダイオードを配列した平面発光パネルなどでも良く、また平面発光パネルに限らず、蛍光管やランプなどを用いても良い。
さらに、上記第１、第２実施形態では、化粧板６、２０を電子腕時計の文字板として用いた場合について述べたが、これに限らず、例えばトラベルウオッチ、置き時計、掛け時計などにも適用できるほか、特に広告用の文字や図形などのマーク部を化粧板６、２０に設けることにより、ネオンサインや看板などの広告装置としても広く適用することができる。
【００１８】
【発明の効果】
以上説明したように、請求項１記載の発明によれば、光透過性部材の裏面に発光部材を設けることができる。そして、光透過性部材の表面を凹凸形状に形成し、この光透過性部材の凹凸形状の全表面に光反射被膜を形成した後、凹凸形状の凸部の先端部のみを光反射被膜と共にカットすることにより、凸部の先端部を平坦面に形成して露出させることができるとともに、凹部に光反射被膜を光反射被膜部として残すことができるので、照明機能を有するとともに装飾性のある化粧部材を簡単に製造することができる。
また、請求項２記載の発明によれば、光透過性部材の上面に規則的な凹凸形状を形成することができる。
また、請求項３記載の発明によれば、光透過性部材の上面に規則的なV字形状の溝を形成することができる。
【００１９】
また、請求項４記載の発明によれば、光透過性部材の表面を凹凸形状に形成し、この光透過性部材の凹凸形状の全表面に光反射被膜を形成した後、凹凸形状の凸部の先端部のみを光反射被膜と共にカットすることにより、凸部の先端部を平坦面に形成して露出させることができるとともに、凹部に光反射被膜を光反射被膜部として残すことができるので、装飾性のある化粧部材を簡単に製造することができる。
また、請求項５記載の発明によれば、光透過性部材の上面に規則的な凹凸形状を形成することができる。
更に、請求項６記載の発明によれば、光透過性部材の上面に規則的なV字形状の溝を形成することができる。
【図面の簡単な説明】
【図１】この発明の化粧部材を電子腕時計に適用した第１実施形態の要部拡大断面図。
【図２】図１の化粧板の要部拡大断面図。
【図３】図２の要部拡大平面図。
【図４】図２の化粧板の製造方法を示し、（ａ）は光透過性部材の凹凸形状の表面に金属被膜を形成した状態の断面図、（ｂ）は光透過性部材の凸部の先端部を金属被膜と共にカットした状態の断面図。
【図５】図２の化粧板の使用状態を示し、（ａ）はＥＬパネルを点灯させたときの光路状態を示した図、（ｂ）はＥＬパネルを消灯させたときの外部光の光路状態を示した図。
【図６】第１実施形態の光透過性部材の変形例を示し、（ａ）は凹凸形状に形成された光透過西部材の表面に時字形成領域を平坦に形成し、その全表面に金属被膜を形成した状態の断面図、（ｂ）は光透過性部材の凸部の先端部および時字形成領域の表面を金属被膜と共にカットした状態の断面図、（ｃ）はその時字形成領域の表面に時字を形成した状態の断面図。
【図７】この発明の化粧部材の第２実施形態を示した要部拡大断面図。
【図８】図７の要部拡大平面図。
【図９】図７の化粧板の製造方法を示し、（ａ）は光透過性部材の凹凸形状の表面に金属被膜を形成した状態の断面図、（ｂ）は光透過性部材の凸部の先端部を金属被膜と共にカットした状態の断面図。
【図１０】図７の化粧板の使用状態を示し、（ａ）はＥＬパネルを点灯させたときの光路状態を示した図、（ｂ）はＥＬパネルを消灯させたときの外部光の光路状態を示した図。
【符号の説明】
６、２０  化粧板
１１、２１  光透過性部材
１２、２２  凹部
１３、２３  金属被膜部
１４、２４  凸部
１５  ＥＬパネル
１６  時字
１７  金属被膜
１８  時字形成領域
【図１】
0003633177.tif 000002
【図２】
0003633177.tif 000003
【図３】
0003633177.tif 000004
【図４】
0003633177.tif 000005
【図５】
0003633177.tif 000006
【図６】
0003633177.tif 000007
【図７】
0003633177.tif 000008
【図８】
0003633177.tif 000009
【図９】
0003633177.tif 000010
【図１０】
0003633177.tif 000011